(57)【要約】【課題】簡単な構成で長期にわたってアバットメントの緩みを防止することができ、また、必要時には、比較的簡単にアバットメントを取り外すことができるインプラントを提供する。【解決手段】第１めねじ部１１を有するフィクスチャー１０と、第１透孔２１に連通する第２透孔２２とを有し、第２透孔２２の内側に第２めねじ部２３を有するアバットメント２０と、第１めねじ部に螺合する第１おねじ部３１を有する締結ねじ３０と、第２めねじ部２３に対する第２おねじ部４１の螺合により締結ねじ３０を押圧する弛緩防止ねじ４０とを備え、第２おねじ部４１のねじ山のピッチがＰｂ、第１おねじ部３１のねじ山のピッチＰａよりも小さく設定されている。【選択図】図１
2014168592.tif 000002
【特許請求の範囲】
【請求項１】
中心軸に沿って形成された第１めねじ部を有するフィクスチャーと、
前記中心軸に沿って形成されて前記第１めねじ部に連通する第１透孔と前記第１透孔よりも大径で段部を介して前記第１透孔に連通する第２透孔とを有し、前記第２透孔の内側に第２めねじ部を有するアバットメントと、
前記第１透孔を貫通して前記第１めねじ部に螺合する第１おねじ部と、前記第１めねじ部に対する前記第１おねじ部の螺合により前記段部を押圧して前記アバットメントを前記フィクスチャーに押圧する押圧部と、前記第２透孔に位置する頭部とを有する締結ねじと、
前記第２めねじ部に螺合される第２おねじ部を有し、前記第２めねじ部に対する前記第２おねじ部の螺合により前記締結ねじの前記頭部を押圧する弛緩防止ねじと、
前記アバットメントを覆う上部構造と、を備え、
前記第２おねじ部のねじ山のピッチが、前記第１おねじ部のねじ山のピッチよりも小さく設定されている、
ことを特徴とするデンタルインプラント。
【請求項２】
前記第１おねじ部のねじ山と前記第２おねじ部のねじ山とは、右ねじ・左ねじの関係が逆の関係である、
ことを特徴とする請求項１に記載のデンタルインプラント。
【請求項３】
中心軸に沿って形成された第１めねじ部を有するフィクスチャーと、
前記中心軸に沿って形成されて前記第１めねじ部に連通する第１透孔と前記第１透孔よりも大径で段部を介して前記第１透孔に連通するテーパ状の第２透孔とを有するアバットメントと、
前記第１透孔を貫通して前記第１めねじ部に螺合する第１おねじ部と、前記第１めねじ部に対する前記第１おねじ部の螺合により前記段部を押圧して前記アバットメントを前記フィクスチャーに押圧する押圧部と、外面に第２おねじ部が形成された頭部とを有する締結ねじと、
外面が前記第２透孔に対応するテーパ状に形成されるとともに内面に前記第２おねじ部に螺合される第２めねじ部を有する弛緩防止ねじと、
前記アバットメントを覆う上部構造と、を備え、
前記第２おねじ部のねじ山のピッチが、前記第１おねじ部のねじ山のピッチよりも大きく設定されている、
ことを特徴とするデンタルインプラント。
【請求項４】
デンタルインプラントに使用するアバットメント、締結ねじ、及び弛緩防止ねじとにおいて、
前記アバットメント、前記締結ねじ、及び前記弛緩防止ねじが、請求項１又は２に記載のアバットメント、締結ねじ、及び弛緩防止ねじである、
ことを特徴とするアバットメント、締結ねじ、及び弛緩防止ねじ。
【請求項５】
デンタルインプラントに使用するアバットメント、締結ねじ、及び弛緩防止ねじとにおいて、
前記アバットメント、前記締結ねじ、及び前記弛緩防止ねじが、請求項３に記載のアバットメント、締結ねじ、及び弛緩防止ねじである、
ことを特徴とするアバットメント、締結ねじ、及び弛緩防止ねじ。
【発明の詳細な説明】
【技術分野】
【０００１】
本発明は、フィクスチャーにねじで固定したアバットメントを緩みにくくしたデンタルインプラント、並びに、デンタルインプラントに使用するアバットメント、締結ねじ、及び弛緩防止ねじに関する。
【背景技術】
【０００２】
インプラント治療に使用されるデンタルインプラント（以下単に「インプラント」という。）７０は、図３に示すように、大きくは３つのパーツ、すなわちフィクスチャー７１、アバットメント７２、上部構造７３によって構成されている。このうち、フィクスチャー７１は、インプラント体ともいわれ、例えば、チタン製である。
【０００３】
同図に示すように、歯（不図示）が抜けた後には、柔らかい海面骨６０と硬い皮質骨６１とからなる歯槽骨６２と、これを覆う粘膜（歯肉）６３とが残る。歯槽骨６２に埋入孔を穿孔してフィクスチャー７１を埋入し、このフィクスチャー７１にアバットメント７２を接続（固定）して支台とし、さらに、アバットメント７２に上部構造７３を装着して、インプラント７０全体を構成することができる。
【０００４】
インプラント７０においては、アバットメント７１は、普通、ねじ（スクリュー）を使用して、フィクスチャー７１に固定されている。
【０００５】
上部構造７３を装着した後に、つまり、インプラント７０が完成された後に、ねじがゆるむと、上部構造を一旦除去して（取り外して）、ねじを締め直し、再度、アバットメント７２をしっかりと固定しなければならない。このため、上部構造を再製作する必要が生じる。とりわけシングルスタンド型のインプラントでアバットメント７２が緩み易く、問題となっている。
【０００６】
このようなねじの緩みを防止するための代表的なものとしては、レジンなどの固定剤を、ねじに塗布して固定するものが知られている（例えば、特許文献１参照）。
【０００７】
また、キーを使用するものも知られている（例えば、特許文献２参照）。
【０００８】
このものは、フィクスチャーにアバットメントを固定するねじ（スクリュー）にキー溝（スリーブ挿入溝）を形成し、アバットメントにはロック溝を形成し、キー溝にキーを挿入するとともに、キー溝の係合凸部をロック溝に係合させる。これにより、アバットメントに対してねじが緩むことを防止している。
【先行技術文献】
【特許文献】
【０００９】
【特許文献１】特開平９−６６０６５号公報
【特許文献２】特開平２００３−３２５５５２号公報
【発明の概要】
【発明が解決しようとする課題】
【００１０】
しかしながら、レジンなどの固定剤を使用したものは、
（１）アバットメントを取り外す必要が生じた場合あっても、固定剤が有効な間は、ねじを緩めてアバットメントを取り外すことが困難であり、
（２）一方、固定剤が経年劣化すると、ねじ及びアバットメントが不要に緩むおそれがある、
という問題があった。
一方、キーを使用したものは、
（３）ねじにキー溝を、また、アバットメントにロック溝を形成し、キーには係合凸部を形成する等、ねじ、アバットメント、キーなどの小さな部品に対して微細で複雑な加工を施す必要がある、
という問題があった。
【００１１】
本発明は、上述した事情に鑑みてなされたものであり、簡単な構成でありながら
（１）一旦、固定したアバットメントであっても、取り外しが必要な場合には比較的容易に取り外すことができ、
（２）固定剤を使用することなくアバットメントの不要な緩みを長期にわたって防止することができ、
（３）さらに、キー溝、ロック溝、キー及び係合凸部等の微細で複雑な加工が不要である、
インプラント（デンタルインプラント）、並びに、デンタルインプラントに使用するアバットメント、締結ねじ、及び弛緩防止ねじを提供することを目的とするものである。
【課題を解決するための手段】
【００１２】
請求項１に係る発明は、デンタルインプラントにおいて、中心軸に沿って形成された第１めねじ部を有するフィクスチャーと、前記中心軸に沿って形成されて前記第１めねじ部に連通する第１透孔と前記第１透孔よりも大径で段部を介して前記第１透孔に連通する第２透孔とを有し、前記第２透孔の内側に第２めねじ部を有するアバットメントと、前記第１透孔を貫通して前記第１めねじ部に螺合する第１おねじ部と、前記第１めねじ部に対する前記第１おねじ部の螺合により前記段部を押圧して前記アバットメントを前記フィクスチャーに押圧する押圧部と、前記第２透孔に位置する頭部とを有する締結ねじと、前記第２めねじ部に螺合される第２おねじ部を有し、前記第２めねじ部に対する前記第２おねじ部の螺合により前記締結ねじの前記頭部を押圧する弛緩防止ねじと、前記アバットメントを覆う上部構造と、を備え、前記第２おねじ部のねじ山のピッチが、前記第１おねじ部のねじ山のピッチよりも小さく設定されている、ことを特徴とする。
【００１３】
請求項２に係る発明は、請求項１に係るデンタルインプラントにおいて、前記第１おねじ部のねじ山と前記第２おねじ部のねじ山とは、右ねじ・左ねじの関係が逆の関係である、ことを特徴とする。
【００１４】
請求項３に係る発明は、デンタルインプラントにおいて、中心軸に沿って形成された第１めねじ部を有するフィクスチャーと、前記中心軸に沿って形成されて前記第１めねじ部に連通する第１透孔と前記第１透孔よりも大径で段部を介して前記第１透孔に連通するテーパ状の第２透孔とを有するアバットメントと、前記第１透孔を貫通して前記第１めねじ部に螺合する第１おねじ部と、前記第１めねじ部に対する前記第１おねじ部の螺合により前記段部を押圧して前記アバットメントを前記フィクスチャーに押圧する押圧部と、外面に第２おねじ部が形成された頭部とを有する締結ねじと、外面が前記第２透孔に対応するテーパ状に形成されるとともに内面に前記第２おねじ部に螺合される第２めねじ部を有する弛緩防止ねじと、前記アバットメントを覆う上部構造と、を備え、前記第２おねじ部のねじ山のピッチが、前記第１おねじ部のねじ山のピッチよりも大きく設定されている、ことを特徴とする。
【００１５】
請求項４に係る発明は、デンタルインプラントに使用するアバットメント、締結ねじ、及び弛緩防止ねじとにおいて、前記アバットメント、前記締結ねじ、及び前記弛緩防止ねじが、請求項１又は２に係るアバットメント、締結ねじ、及び弛緩防止ねじである、ことを特徴とする。
【００１６】
請求項５に係る発明は、デンタルインプラントに使用するアバットメント、締結ねじ、及び弛緩防止ねじとにおいて、前記アバットメント、前記締結ねじ、及び前記弛緩防止ねじが、請求項３に係るアバットメント、締結ねじ、及び弛緩防止ねじである、ことを特徴とする。
【発明の効果】
【００１７】
請求項１の発明によれば、締結ねじは、頭部を弛緩防止ねじによって押圧されているので、弛緩防止ねじが緩まない限り緩むことがない。また、弛緩防止ねじは、第２ねじ部のねじ山のピッチが、締結ねじの第１ねじ部のねじ山のピッチよりも小さく設定されているので、弛緩防止ねじと締結ねじとの双方が緩む方向に、同時に回転することはできない。したがって、締結ねじが緩むことができるのは、弛緩防止ねじのみが先に緩んだ場合に限られる。
【００１８】
ところで、インプラントが取り付けられる口腔内では、締結ねじと弛緩防止ねじとが受ける振動は、同時でしかも同一モードであり、また、両ねじ間には、押圧力を垂直抗力とする静止摩擦力が作用しているので、上述のように、弛緩防止ねじが先に緩むということは、ほとんど起こらない。
【００１９】
一方、フィクスチャーからアバットメントを取り外す場合には、弛緩防止ねじを先に緩めた後に、締結ねじを緩めるようにすれば、両ねじを緩めることは容易である。つまり、フィクスチャーからアバットメントを簡単に取り外すことができる。
【００２０】
このように、請求項１に係るインプラントは、
（１）一旦、固定したアバットメントであっても、取り外しが必要な場合には比較的容易に取り外すことができ、
（２）固定剤を使用することなくアバットメントの不要な緩みを長期にわたって防止することができ、
（３）さらに、キー溝、ロック溝、キー及び係合凸部等の微細で複雑な加工が不要である。
請求項２の発明によれば、締結ねじに緩み方向の力が作用した場合、締結ねじから弛緩防止ねじに伝達される力は、弛緩防止ねじには締め付け方向の力となるので、請求項１と同様の効果を奏することができる。
【００２１】
請求項３の発明によれば、アバットメントの中心軸に沿った方向の長さが短い場合であっても、上述の請求項１と同様の効果を奏することができる。
【００２２】
請求項４の発明によれば、請求項１、２の発明と同様の効果を奏することができる。
請求項５の発明によれば、請求項３の発明と同様の効果を奏することができる。
【図面の簡単な説明】
【００２３】
【図１】実施形態１のインプラント１の中心軸Ｃを含む平面で切った断面図である。
【図２】実施形態２のインプラント２の中心軸Ｃを含む平面で切った断面図である。
【図３】一般的なインプラント７０の外観を説明する図である。
【発明を実施するための形態】
【００２４】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２５】
図１を参照して、本発明が適用された実施形態１に係るインプラント（デンタルインプラント）１について説明する。なお、以下の説明では、インプラント１の中心を通る線を中心線Ｃとし、また、図１中における中心線Ｃに沿っての下側を「先端側」、反対の上側を「基端側」とする。
【００２６】
同図に示すように、インプラント１は、フィクスチャー１０と、アバットメント２０と、締結ねじ３０と、弛緩防止ねじ４０と、上部構造５０とを備えて構成されている。
【００２７】
フィクスチャー１０は、中心軸Ｃに沿って形成された第１めねじ部１１を有している。第１めねじ部１１は、フィクスチャー１０の基端側から先端側に向かって形成されている。第１めねじ部１１は、右ねじに対応するように形成されている。第１めねじ部１１は、ねじ山の断面形状が三角形，四角形，台形である三角ねじ，角ねじ，台形ねじ等を使用することができる。また、第１めねじ部１１のピッチは、Ｐａに設定されている。第１めねじ部１１の基端側の開口部の周囲には、第１めねじ部１１よりも大径の四角、六角または八角状の嵌合凹部１２が形成されている。
【００２８】
フィクスチャー１０は、例えば、チタン製であり、患者の歯が抜けた後の歯槽骨６２（図３参照）に穿孔された埋入孔に埋入されるものである。
【００２９】
アバットメント２０は、中心軸Ｃに沿って先端側から順に、第１透孔２１と、第２透孔２２と、第２めねじ部２３とを有している。
【００３０】
第１透孔２１は、フィクスチャー１０の第１めねじ部１１に連通している。
【００３１】
第２透孔２２は、第１透孔２１よりも大径に形成されていて、第１透孔２１の基端側に、段部２４を介して連通している。
【００３２】
第２めねじ部２３は、第２透孔２２における基端側に螺刻されている。第２めねじ部２３は、右ねじに対応するように形成されている。第２めねじ部２３は、ねじ山の断面形状が三角形，四角形，台形である三角ねじ，角ねじ，台形ねじ等を使用することができる。また、第２めねじ部２３のピッチは、Ｐｂに設定されている。
【００３３】
アバットメント２０の先端側には、フィクスチャー１０の嵌合凹部１２に嵌合される四角、六角または八角状の嵌合凸部２５が形成されている。
【００３４】
アバットメント２０は、例えば、金属もしくはセラミック製であり、フィクスチャー１０に嵌合されるとともに、次に説明する締結ねじ３０によって、フィクスチャー１０に固定される。
【００３５】
締結ねじ３０は、中心軸Ｃに沿って先端側から順に、第１おねじ部３１と、押圧部３２と、頭部３３とを有している。
【００３６】
第１おねじ部３１は、フィクスチャー１０の第１めねじ部１１に螺合可能に形成されている。すなわち、第１おねじ部３１は右ねじに対応するように形成され、ねじ山の断面形状は、第１めねじ部１１のねじ山の断面形状と同じものが採用され、ねじ山のピッチはＰａに設定されている。
【００３７】
押圧部３２は、基端側の頭部３３の直径を、先端側の直径よりも大きく設定することにより形成された段部である。押圧部３２は、第１おねじ部３１をフィクスチャー１０の第１めねじ部１１に螺合させた際に、アバットメント２０の段部２４を押圧する。これにより、アバットメント２０をフィクスチャー１０に固定する。
【００３８】
頭部３３は、その頭部頂面３３ａが、第２めねじ部２３から基端側に突出しない位置に位置するようになっている。すなわち、頭部頂面３３ａよりも基端側に、少なくとも第２めねじ部２３の一部が存在するようになっている。これにより、次に説明する弛緩防止ねじ４０によって頭部３３を押圧することが可能となる。頭部頂面３３ａには、締結ねじ３０を工具で回すための、凹部３３ｂ、例えば、すりわり、十字穴、六角穴が設けてある。
弛緩防止ねじ４０は、ほぼ円柱状に形成されていて、外周面に第２おねじ部４１を有している。
【００３９】
第２おねじ部４１は、アバットメント２０の第２めねじ部２３に螺合可能に形成されている。すなわち、第２おねじ部４１は右ねじに対応するように形成され、ねじ山の断面形状は、第２めねじ部２３のねじ山の断面形状と同じものが採用され、ねじ山のピッチはＰｂに設定されている。弛緩防止ねじ４０の頂面４０ａには、工具で回すための、凹部４０ｂ、例えば、すりわり、十字穴、六角穴が設けてある。
【００４０】
弛緩防止ねじ４０は、第２おねじ部４１を、アバットメント２０の第２めねじ部２３に螺合させて締め付けたときに、先端面４０ｃによって、締結ねじ３０の頭部３３の頭部頂面３３ａを押圧するようになっている。
【００４１】
上部構造５０は、フィクスチャー１０に固定されたアバットメント２０を支台として、これに被せるようにして固定されている。
【００４２】
本実施形態においては、上述の弛緩防止ねじ４０の第２おねじ部４１のねじ山のピッチＰｂが、締結ねじ３０の第１おねじ部３１のねじ山のピッチＰａよりも小さく設定されている。これに対応して、アバットメント２０の第２めねじ部２３のねじ山のピッチＰｂも、フィクスチャー１０の第１めねじ部１１のねじ山のピッチＰａよりも小さくなっている。
上述構造のインプラント１は、以下のようにして使用する。
【００４３】
（１）歯が抜けた後の患者の歯槽骨にあけられた埋入孔に、フィクスチャー１０を埋入する。
（２）アバットメント２０をフィクスチャー１０に取り付ける。フィクスチャー１０の嵌合凹部１２にアバットメント２０の嵌合凸部２５を嵌合させて、フィクスチャー１０に対してアバットメント２０を位置決めした状態で取り付ける。
（３）締結ねじ３０により、アバットメント２０をフィクスチャー１０に固定する。締結ねじ３０の先端側の第１おねじ部３１を、アバットメント２０の基端側の第２透孔２２に挿入し、さらに第１透孔２１を貫通させて、フィクスチャー１０の第１めねじ部１１に螺合させる。さらに、工具で締結ねじ３０を締め付けて、締結ねじ３０の押圧部３２により、アバットメント２０の段部２４を押圧する。これにより、フィクスチャー１０にアバットメント２０を固定する。
（４）弛緩防止ねじ４０を取り付ける。弛緩防止ねじ４０の第２おねじ部４１を、アバットメント２０の第２めねじ部２３に螺合し、さらに、工具で締め付ける。これにより、弛緩防止ねじ４０の先端面４０ｃが締結ねじ３０の頭部３３の頭部頂面３３ａに当接して押圧する。
（５）上部構造５０をアバットメント２０に被せて固定する。
【００４４】
なお、上述とは逆に、アバットメント２０をフィクスチャー１０から取り外す場合には、まず、上部構造５０をアバットメント２０から取り外し、つづいて、弛緩防止ねじ４０、締結ねじ３０の順に、それぞれ緩めて外す。これにより、比較的容易に、アバットメント２０をフィクスチャー１０から取り外すことが可能である。
【００４５】
上述のインプラント１によれば、以下のような作用・効果を奏する。
【００４６】
締結ねじ３０は、頭部３３が弛緩防止ねじ４０によって押圧されているので、弛緩防止ねじ４０が緩まない限り緩むことはない。また、弛緩防止ねじ４０の第２おねじ部４１のねじ山のピッチＰｂは、締結ねじ３０の第１おねじ部３１のねじ山のピッチＰａよりも小さく設定されているので、これら弛緩防止ねじ４０と締結ねじ３０とが一緒に回転することは困難である。
【００４７】
したがって、締結ねじ３０が緩むことができるのは、弛緩防止ねじ４０だけが先に緩んだ場合に限られる。
【００４８】
しかしながら、患者の口腔内では、締結ねじ３０と弛緩防止ねじ４０とが受ける振動は同時で同一モードであり、両者の間には静止摩擦力が働いているので、このようなことはめったに起こらない。
【００４９】
以上のように、本実施形態のインプラント１によれば、キー等を使用する従来例とは異なり比較的簡単な構成でありながら、固定剤を使用することなく、アバットメント２０の緩みを有効に防止することができ、また、必要時にはアバットメント２０の取り外しを比較的簡単に行うことができる。
【００５０】
以上の実施形態では、第１おねじ部３１と第２おねじ部４１の双方を、右ねじで構成した例を説明したが、これに代えて、双方とも左ねじで構成してもよいのはもちろんである。
【００５１】
また、第１おねじ部３１と第２おねじ部との一方を右ねじとして、他方を左ねじとすることも可能である。この構成の場合、締結ねじ３０に緩み方向の力が作用した場合、この締結ねじ３０から弛緩防止ねじ４０に伝達される力は、弛緩防止ねじ４０には締め付け方向の力となるので、アバットメント２０の緩みを、さらに確実に防止することができる。
【００５２】
なお、本実施形態のアバットメント２０、締結ねじ３０、及び弛緩防止ねじ４０は、既存のフィクスチャー１０及び上部構造５０に対して、適用（使用）することが可能である。
＜実施形態２＞
【００５３】
図２を参照して、本発明が適用された実施形態２に係るインプラント（デンタルインプラント）２について説明する。なお、以下の説明では、インプラント２の中心を通る線を中心線Ｃとし、また、図２中における中心線Ｃに沿っての下側を「先端側」、反対の上側を「基端側」とする。
【００５４】
同図に示すように、インプラント２は、フィクスチャー６０と、アバットメント７０と、締結ねじ８０と、弛緩防止ねじ９０と、上部構造５０とを備えて構成されている。
【００５５】
フィクスチャー６０は、中心軸Ｃに沿って形成された第１めねじ部６１を有している。第１めねじ部６１は、フィクスチャー６０の基端側から先端側に向かって形成されている。第１めねじ部６１は、右ねじに対応するように形成されている。第１めねじ部６１は、ねじ山の断面形状が三角形，四角形，台形である三角ねじ，角ねじ，台形ねじ等を使用することができる。また、第１めねじ部６１のピッチは、Ｐｃに設定されている。第１めねじ部６１の基端側の開口部の周囲には、第１めねじ部６１よりも大径の四角、六角または八角状の嵌合凹部６２が形成されている。
【００５６】
フィクスチャー６０は、例えば、チタン製であり、患者の歯が抜けた後の歯槽骨６２（図３参照）に穿孔された埋入孔に埋入されるものである。
【００５７】
アバットメント７０は、中心軸Ｃに沿って先端側から順に、第１透孔７１と、第２透孔７２とを有している。
【００５８】
第１透孔７１は、フィクスチャー６０の第１めねじ部６１に連通している。
【００５９】
第２透孔７２は、第１透孔７１よりも大径で、かつ基端側程、大径になるテーパ状に形成されている。第２透孔７２は、内面がテーパ面７２ａとなっていて、第１透孔７１の基端側に、段部７３を介して連通している。
【００６０】
アバットメント７０の先端側には、フィクスチャー６０の嵌合凹部６２に嵌合される四角、六角または八角状の嵌合凸部７４が形成されている。
【００６１】
アバットメント７０は、例えば、金属もしくはセラミック製であり、フィクスチャー６０に嵌合されるとともに、次に説明する締結ねじ８０によって、フィクスチャー６０に固定される。
【００６２】
締結ねじ８０は、中心軸Ｃに沿って先端側から順に、第１おねじ部８１と、押圧部８２と、頭部８３とを有しており、頭部８３の基端側の外周面には第２おねじ部８４が形成されている。
【００６３】
第１おねじ部８１は、フィクスチャー６０の第１めねじ部６１に螺合可能に形成されている。すなわち、第１おねじ部８１は右ねじに対応するように形成され、ねじ山の断面形状は、第１めねじ部６１のねじ山の断面形状と同じものが採用され、ねじ山のピッチはＰｃに設定されている。
【００６４】
押圧部８２は、基端側の頭部８３の直径を、先端側の直径よりも大きく設定することにより形成された段部である。押圧部８２は、第１おねじ部８１をフィクスチャー６０の第１めねじ部６１に螺合させた際に、アバットメント７０の段部７３を押圧する。これにより、アバットメント７０をフィクスチャー６０に固定する。
【００６５】
頭部８３は、ほぼ円柱状に形成されていて、アバットメント７０の第２透孔７２内に配置されている。頭部８３の基端面には、締結ねじ８０を工具で回すための、凹部８３ａ、例えば、すりわり、十字穴、六角穴が設けてある。
【００６６】
第２おねじ部８４は、右ねじに対応するように形成されている。第２おねじ部８４は、ねじ山の断面形状が三角形，四角形，台形である三角ねじ，角ねじ，台形ねじ等を使用することができる。また、第２おねじ部８４のピッチは、Ｐｄに設定されている。
【００６７】
弛緩防止ねじ９０は、ほぼ円錐台状に形成されており、外面にはテーパ面９１を有し、内面には第２めねじ部９２を有している。
【００６８】
テーパ面９１は、アバットメント７０の第２透孔７２のテーパ面７２ａに適合するように、つまり同じテーパ角を有するように形成されている。
【００６９】
第２めねじ部９２は、締結ねじ８０の第２おねじ部８４に螺合可能に形成されている。すなわち、第２めねじ部９２は右ねじに対応するように形成され、ねじ山の断面形状は、第２おねじ部８４のねじ山の断面形状と同じものが採用され、ねじ山のピッチはＰｄに設定されている。
【００７０】
なお、弛緩防止ねじ９０の基端面９０ａには、工具で回すための、凹部（不図示）、例えば、すりわり、十字穴、六角穴が設けてある。
【００７１】
弛緩防止ねじ９０は、内面の第２めねじ部９２を、締結ねじ８０の第２おねじ部８４に螺合させて、さらに工具で締め付けたときに、外面のテーパ面９１がアバットメント７０の第２透孔７２のテーパ面７２ａに押圧されて、両テーパ面９１，７２ａの間に大きな摩擦力を発生させ、これにより、締結ねじ８０の緩みを防止するものである。
上部構造５０は、フィクスチャー６０に固定されたアバットメント７０を支台として、これに被せるようにして固定されている。
【００７２】
本実施形態においては、上述の締結ねじ８０において、第２おねじ部８４のねじ山のピッチＰｄが、第１おねじ部８１のねじ山のピッチＰｃよりも大きく設定されている。これに対応して、弛緩防止ねじ９０の第２めねじ部９２のねじ山のピッチＰｄも、フィクスチャー６０の第１めねじ部６１のねじ山のピッチＰｃよりも大きくなっている。
【００７３】
上述構造のインプラント２は、以下のようにして使用する。
【００７４】
（１）歯が抜けた後の患者の歯槽骨にあけられた埋入孔に、フィクスチャー６０を埋入する。
（２）アバットメント７０をフィクスチャー６０に取り付ける。フィクスチャー６０の嵌合凹部６２にアバットメント７０の嵌合凸部７４を嵌合させて、フィクスチャー６０に対してアバットメント７０を位置決めした状態で取り付ける。
（３）締結ねじ８０により、アバットメント７０をフィクスチャー６０に固定する。締結ねじ８０の先端側の第１おねじ部８１を、アバットメント７０の基端側の第２透孔７２に挿入し、さらに第１透孔７１を貫通させて、フィクスチャー６０の第１めねじ部６１に螺合させる。さらに、工具で締結ねじ８０を締め付けて、締結ねじ８０の押圧部８２により、アバットメント７０の段部７３を押圧する。これにより、フィクスチャー６０にアバットメント７０を固定する。
（４）弛緩防止ねじ９０を取り付ける。弛緩防止ねじ９０の第２めねじ部９２を、締結ねじ８０の第２おねじ部８４に螺合し、さらに、工具で締め付ける。これにより、弛緩防止ねじ９０のテーパ面９１をアバットメント７０の第２透孔７２のテーパ７２ａに強く押し付ける。
（５）上部構造５０をアバットメント７０に被せて固定する。
【００７５】
なお、上述とは逆に、アバットメント７０をフィクスチャー６０から取り外す場合には、まず、上部構造５０をアバットメント７０から取り外し、つづいて、弛緩防止ねじ９０、締結ねじ８０の順に、それぞれ緩めて外す。これにより、比較的容易に、アバットメント７０をフィクスチャー６０から取り外すことが可能である。
【００７６】
上述のインプラント２によれば、以下のような作用・効果を奏する。
【００７７】
締結ねじ８０の頭部８３の第２おねじ部８４のねじ山のピッチＰｄは、先端側の第１ねじ部８１のねじ山のピッチＰｃより大きく設定されているので、締結ねじ８０を締め付けた後に、弛緩防止ねじ９０を締め付けると、締結ねじ８０が逆回転して緩もうとしても、ピッチの差だけねじ山が変形しない限り回転できない。
【００７８】
言い換えると、ねじ山が変形する程度の力をかけない限り緩まないことになる。ねじ山が変形するには極めて大きな力が必要であるが、ねじ山が受ける抗力が大きいほど静止摩擦力も大きくなるので、締結ねじ８０が緩みにくくなる。
【００７９】
ただし、弛緩防止ねじ９０が締結ねじ８０と一緒に回転してしまうと緩んでしまうので、弛緩防止ねじ９０の外面にテーパ面９１を設けて、アバットメント７０の第２透孔７２のテーパ面７２ａとの間の静止摩擦力を大きくして、弛緩防止ねじ９０が締結ねじ８０と一緒に回転しないようになっている。
【００８０】
以上のように、本実施形態のインプラント２によれば、キー等を使用する従来例とは異なり比較的簡単な構成でありながら、固定剤を使用することなく、アバットメント７０の緩みを有効に防止することができ、また、必要時にはアバットメント７０の取り外しを比較的簡単に行うことができる。
【００８１】
以上の実施形態では、第１おねじ部８１と第２おねじ部８４の双方を、右ねじで構成した例を説明したが、これに代えて、双方とも左ねじで構成してもよいのはもちろんである。
【００８２】
なお、本実施形態のアバットメント７０、締結ねじ８０、及び弛緩防止ねじ９０は、既存のフィクスチャー６０及び上部構造５０に対して、適用（使用）することが可能である。
【符号の説明】
【００８３】
１          実施形態１のインプラント（デンタルインプラント）
２          実施形態２のインプラント（デンタルインプラント）
１０，６０  フィクスチャー
１１，６１  第１めねじ部
２０，７０  アバットメント
２１，７１  第１透孔
２２，７２  第２透孔
２３，９２  第２めねじ部
２４，７３  段部
３０，８０  締結ねじ
３１，８１  第１おねじ部
３２，８２  押圧部
３３，８３  頭部
４０，９０  弛緩防止ねじ
４１，８４  第２おねじ部
５０        上部構造
７２ａ，９１  テーパ面
Ｐａ，Ｐｃ  第１おねじ部のピッチ
Ｐｂ，Ｐｄ  第２おねじ部のピッチ
Ｃ      中心軸
【図１】
2014168592.tif 000003
【図２】
2014168592.tif 000004
【図３】
2014168592.tif 000005